(57)【要約】【課題】腰ベルトを使用しないスカート、ズボン等にも装着可能で、脱衣の際における不慮の電話機の滑落を防ぐことが出来、嵩張らず、他の携行品も内部収納可能で着脱容易な、胴縁掛け式携帯電話機ホルダーと、滑落防止方法を得る。【解決手段】Ｕ字型に曲げた皮、合成樹脂等、やや硬質の面版：１の表側面版に根元が縊れ状の保持環：２を取付け又、裏側面版に着脱式の錘版：３を取付け、屈曲部をスカート、ズボン等の胴縁へ掛けて着衣の表裏で併用する。尚、内蔵紐：３を取付けてクリップピン：４、あるいは着脱式粘着テープ等の止め具で着衣の内側に固定させる。又、内蔵紐は場合により、身体胴巻き紐に代えて応用する。滑落防止は図５に示すように、表面版と電話機裏面の間で錘：７と、ビーズ玉：８、及び、リング：９を付加した電話機附属のストラップ：６を保持環へ絡める方法とする。【選択図】　図１
2004024638.tif 000002
【特許請求の範囲】
【請求項１】
Ｕ字型に曲げた、やや硬質の面版の表側に根元が縊れ状の保持環を設ける第一手段と、裏側に紐通し孔を設け、尚、着脱式の錘版と、内蔵紐、又は、接着具を取付ける第ニ手段を備え、着衣の胴縁を介して内側にクリップピン等の着脱具で固定させることを特徴とする胴縁掛け式携帯電話機ホルダーと、又、錘とビーズ玉を付加した電話機附属のストラップを電話機裏面で保持環へ絡める滑落防止方法
【発明の詳細な説明】
【０００１】
【発明の属する技術分野】
胴縁掛け式携帯電話機ホルダーと滑落防止方法
【０００２】
【従来の技術】
従来の腰部装着用の携帯電話機ホルダーはケース式で、スカート、ズボンの外で腰ベルトへ引掛けて使用している、しかし、特に女性は腰ベルトを着用しない傾向があり、胴縁へ板ばね式のものがあるが、着座時又、脱衣の際に電話機の重さで不慮の滑落が起こる心配がある。又、滑落防止は収納ケースと一体式の押さえカバーを使用している。
【０００３】
【発明が解決しようとする課題】
腰ベルトを使用しないスカート、ズボン等でも装着可能で、脱衣時、着座時にも不慮の滑落を防ぐことが出来、嵩張らず、他の携行品も内部収納可能で尚、着脱容易な、胴縁掛け式携帯電話機ホルダーと滑落防止方法を得る。
【０００４】
【課題を解決するための手段】
Ｕ字型に曲げた、やや硬質の面版の表側面版に根元が縊れ状の保持環を取付け、又、裏側面版に着脱式の錘版を取付ける。又、内蔵紐を取付けてクリップピン、あるいは着脱式接着テープ等の止め具で、スカート、ズボン等の内側に固定させて、屈曲部を胴縁へ掛けて着衣の表裏で併用する。又、内蔵紐は場合により、裏面版へ通し孔を設け、身体胴巻き紐に代えて応用する。滑落防止は、表面版と保持環に収納された電話機裏面の間で保持環へストラップを絡める方法で、ストラップには錘と、ビーズ玉及び、リングを付加させる。
【発明の実施の形態】
Ｕ字型に曲げた面版を胴縁へ引掛け式のホルダーで、表面版に縊れ状の保持環を設け、又、スカート、ズボン等の胴縁に引掛けられただけのホルダーの遊動と着座時における離脱を防ぐため、裏側面版に錘版を取付けて重力による引張り効果と、摩擦、締付け効果を利用して胴縁へ定着させる。尚、錘版は財布等を代用させるため着脱式とする。不慮の離脱を防ぐ為、裏面版を着衣へ内蔵紐を介してクリップピン等で固定する。あるいは着脱式接着テープで固定する。又、内蔵紐は身体胴廻りに結束させて利用する場合の為、裏面版に紐通し孔を設ける。ズボン等の柔軟な胴縁部は電話機の重さによる撓みが生じ易いため、負荷の分散と座屈に対する補強効果として厚紙、皮、合成樹脂等やや硬質の面版を利用する。滑落防止は収納された電話機の裏側で縊れ状の保持環を電話機附属のストラップで絡める方法とし、ストラップの先端に錘を付けることにより、重力による引張り力で締縛され、尚、保持環の根元を縊れ状とすれば保持環に絡んだストラップは外れない。ストラップの有効長さはビーズ玉の移動による任意調整と、紐とビーズ孔の接触摩擦力を利用してズレ防止とし、面版と電話機の裏面の間に挟まれるビーズ玉の楔作用を活用して制動させる。
【０００５】
【実施例】
図１は基本形を示す横断面図で、中央部でＵ字型に屈曲した厚紙、皮、合成樹脂等やや硬質の面版：１の表面版に根元が縊れ状の保持環：２を取付け、又、裏面版の通し孔に内蔵紐：３を組み込み、その端部にクリップピン：４を取付ける。尚、スナップボタン（凸）：ａ、（凹）ｂ：を介して着脱式の錘版：５を取付け、更に、スカート、ズボンの胴縁に面版：１の屈曲部を引掛けて定着させる。図２は正面斜視図であり、錘版：５を外した状態を示し、又、図３は背面斜視図で面版：１の紐通し孔に組まれた内蔵紐：３と、錘版：４を取付けた状態を示している。
【０００６】
図４は、携帯電話機に取付けた滑落防止用のストラップの構成を示す斜視図である。図５は滑落防止方法のストラップの軌跡を示す正面側断面図で、表面版上に収納された携帯電話機のストラップ：６を電話機の裏側で、保持環：２へ左廻りで絡めた状態を示しており、錘：７の重さで常に下方へ引っ張られて締縛され、又、手で掴み、逆廻りにすれば外れることになる。ストラップの有効長さはビーズ玉：８を介して形成された環部のリング：９を引き、適宜、ビーズ玉：８を移動して調整する。図６は装着状態を示す正面斜視図であり、ビーズ玉：８と、リング：９の位置が移動した状態を示している。
【０００７】
【発明の効果】Ｕ字型ホルダーを胴縁上へ引掛け式の構造は着衣の表裏で活用出来るため、腰ベルト無しでも腰部に装着出来、着脱が容易に出来る。しかも胴回り上の任意の位置へ移動して使用出来る。錘版の取付け効果のため、ホルダーの遊動と着座時における離脱が防げる。また、錘版に代えて財布等を肌身離さず、目立たなく内部収納出来る。やや硬質性の面版使用は補強効果により負荷が分散され胴縁部の型崩れが起こりにくい。着衣に固定された内蔵紐は安全紐として不慮の滑落時にはホルダーを保持出来、身体胴部に周巻きされた紐とすれば、他の貴重品等を吊るす形態で内部収納出来る。尚、保持環は他の収納ケース等に代えて取付け応用できる。
【０００８】
滑落防止として、収納された電話機の裏側で保持環を電話機附属のストラップで絡めるだけの操作は簡単であり、根元が縊れ状の保持環に絡んだストラップは外れにくく、先端の錘の引張り力で自然に締縛されるため安全である。尚、ストラップの有効長さ調整はビーズ玉の任意移動だけで簡単である。紐とビーズ玉との貫通摩擦力でズレ防止となるため、面版と電話機の裏面の間に挟まれるビーズ玉の大きさによる楔作用を活用出来、滑落に対する制動性が簡単で確実に得られる。又、より一層の安全性を求める場合、連結金具が取付け易い。単純構造のため装飾性を付加することが容易である。
【図面の簡単な説明】
【図１】ホルダーの基本構造を示す横断面図
【図２】ホルダーの正面側斜視図
【図３】ホルダーの背面側斜視図
【図４】ストラップの構成を示す斜視図
【図５】滑落防止方法を示す正面側斜視図
【図６】装着状態を示す全体正面斜視図
【符号の説明】１：面版、２：保持環、３：内蔵紐、４：クリップピン、５：錘版、ａ：スナップボタン（凸）、ｂ：スナップボタン（凹）、６：ストラップ、７：錘、８：ビーズ玉、９：リング、
【図１】
2004024638.tif 000003
【図２】
2004024638.tif 000004
【図３】
2004024638.tif 000005
【図４】
2004024638.tif 000006
【図５】
2004024638.tif 000007
【図６】
2004024638.tif 000008